(57)【要約】      （修正有）【課題】装飾部材が昼夜で見え方が異なる計器装置を提供する。【解決手段】表示板４０は、指標部を有する。指針１０は、指標部を指示する。指針駆動手段２２は、指針１０を回動させる。発光素子２５は、指針１０を照明する。装飾部材５０は、発光素子２５からの光を反射させる反射面を有し、装飾部材５０の内周高さは、反射面の上端よりも低く、且つ、前記反射面の下端よりも高い。装飾部材５０の外周高さは、反射面の上端よりも低いものである。【選択図】図２
2013127397.tif 000002
【特許請求の範囲】
【請求項１】
指標部を有する表示板と、前記指標部を指示する指針と、前記指針を回動させる指針駆動手段と、前記指針を照明する発光素子と、前記表示板に設けられた環状の装飾部材と、を備えた計器装置であって、
前記装飾部材は、前記発光素子からの光を反射させる反射面を有し、
前記装飾部材の内周高さは、前記反射面の上端よりも低く、且つ、前記反射面の下端よりも高いことを特徴とする計器装置。
【請求項２】
前記装飾部材の外周高さは、前記反射面の上端よりも低いことを特徴とする請求項１に記載の計器装置。
【請求項３】
前記装飾部材は、前記指標部よりも内側に配設されていることを特徴とする請求項１に記載の計器装置。
【請求項４】
前記装飾部材は、前記指標部よりも外側に配設されていることを特徴とする請求項１に記載の計器装置。
【発明の詳細な説明】
【技術分野】
【０００１】
本発明は、環状の装飾部材を備えた計器装置に関するものである。
【背景技術】
【０００２】
従来より、環状の装飾部材を備えた指針式計器装置が種々提案されており、例えば特許文献１に開示されている。斯かる指針式計器装置は、指針の作動領域を囲むように表示板の前面側に配置された環状の装飾部材を備えている。装飾部材は、目視側に設けられた前面と、表示板に施された指標部側に位置する内周面と、指標部側とは反対側に面した外周面と、を有している。
【先行技術文献】
【特許文献】
【０００３】
【特許文献１】特開２０１０−８５１８０号公報
【発明の概要】
【発明が解決しようとする課題】
【０００４】
上述した計器装置は、装飾部材に照射される光の反射を抑えて視認性の低下を抑制することができる。しかしながら、装飾部材が常に一定の幅で視認されるため、更なる改良の余地を有していた。
本発明は、この問題に鑑みなされたものであり、装飾部材が昼夜で見え方が異なる計器装置を提供するものである。
【課題を解決するための手段】
【０００５】
本発明は、請求項１に記載したように、指標部４１を有する表示板４０と、前記指標部４１を指示する指針１０と、前記指針１０を回動させる指針駆動手段２２と、前記指針１０を照明する発光素子２５と、前記表示板４０に設けられた環状の装飾部材５０と、を備えた計器装置であって、前記装飾部材５０は、前記発光素子２５からの光を反射させる反射面５４を有し、前記装飾部材５０の内周高さＨ１は、前記反射面５４の上端よりも低く、且つ、前記反射面５４の下端よりも高いものである。
【０００６】
また、本発明は、請求項２に記載したように、前記装飾部材５０の外周高さＨ４は、前記反射面５４の上端よりも低いものである。
【０００７】
また、本発明は、請求項３に記載したように、前記装飾部材５０は、前記指標部４１よりも内側に配設されているものである。
【０００８】
また、本発明は、請求項４に記載したように、前記装飾部材５０は、前記指標部４１よりも外側に配設されているものである。
【発明の効果】
【０００９】
夜間は反射面だけが視認されるため、装飾部材が視認される幅が昼夜で異なり、斬新な計器装置となる。
【図面の簡単な説明】
【００１０】
【図１】本発明の実施形態を示す正面図。
【図２】同上実施形態を示す断面図。
【図３】同上実施形態を示す要部拡大断面図。
【図４】同上実施形態を示す要部拡大断面図。
【図５】本発明の他の実施形態を示す正面図。
【図６】同上実施形態を示す断面図。
【発明を実施するための形態】
【００１１】
以下、添付図面に基づいて、本発明の一実施形態を説明する。計器装置は、指針１０と、回路基板２０と、ケース体３０と、表示板４０と、装飾部材５０と、背面カバー６０と、を備えている。
【００１２】
指針１０は、透光性樹脂からなる指針本体１１と、不透明な樹脂からなる指針キャップ１２とを有しており、後述する指標部４１を指示する。回路基板２０は、基板本体２１と、基板本体２１の背面側に実装された指針駆動部２２と、基板本体２１の表面側に実装された発光素子２４，２５と、を備えており、表示板４０の後側に配置されている。
【００１３】
基板本体２１は、平板状のガラスエポキシ系基材に、指針駆動部２２を駆動させる駆動回路、発光素子２４，２５を発光させる発光回路等を形成した硬質プリント基板からなる。駆動回路及び発光回路は、夫々、配線パターン，抵抗，コンデンサ等によって構成される。駆動回路は、制御部から供給される制御信号に基づいて、指針駆動部２２を駆動する。発光回路は、制御部から供給される制御信号に基づいて、発光素子２４，２５を発光させる。
【００１４】
指針駆動部２２は、可動磁石式駆動装置，ステッピングモータ等からなるものである。指針駆動部２２の回動軸２２ａは、基板本体２１に形成された貫通孔２１ａに挿入され、指針駆動部２２の回動軸２２ａには、指針１０が取り付けられる。指針本体１１のボス部は、表示板４０に形成された貫通孔４０ａに挿入されている。
【００１５】
基板本体２１の駆動回路は、制御部から供給される制御信号に基づいて、指針駆動部２２を駆動して、指針１０は、軸Ａを中心として、制御信号に応じた回転角度で回動軸２２ａを回転させる。これによって、エンジン回転数に応じた所定の回転角度で回転し、後述する指標部４１を指示する。
【００１６】
発光素子２４，２５は、夫々、１個以上の発光ダイオード等によって構成される。発光素子２４は、表示板４０の指標部４１を透過照明する。発光素子２５が発した光Ｌは、表示板４０の貫通孔４０ａを通過して、指針本体１１を光輝させると共に、指針キャップ１２外に漏れて、装飾部材５０に照射される。発光素子２４，２５は、制御部から供給される制御信号に基づいて駆動され、車両運転者によって操作されるイルミネーションスイッチ（図示しない）に応じてＯＮ／ＯＦＦされる。
【００１７】
ケース体３０は硬質の合成樹脂（例えば、ポリプロピレン）からなり、このケース体３０に回路基板２０が固定されている。表示板４０は、指針１０の指示対象である指標部４１を有している。また、表示板４０の中央には、指針本体１１のボス部が回転可能に挿入される貫通孔４０ａが形成されている。表示板４０の指標部４１は、目盛部と、この目盛部の近傍に配置された数字部とを有しており、円弧状に配置されている。
【００１８】
装飾部材５０は、円環状になっており、表示板４０の指標部４１よりも内側に配設されている。装飾部材５０は、溶着により表示板４０に固定されている。回路基板２０の後側には、背面カバー６０が配設されている。背面カバー６０は、不透明な合成樹脂からなるものであり、回路基板２０の後面を保護している。
【００１９】
次に、図３及び図４に基づいて、装飾部材５０について詳述する。装飾部材５０は、不透明な樹脂（例えばＡＢＳ樹脂）からなる基材に塗装を施したものである。装飾部材５０は、内周面５１，外周面５２，傾斜面５３，反射面５４，傾斜面５５を有している。
【００２０】
内周面５１は、円環状の装飾部材５０の内側面であり、軸Ａを中心とする円錐面になっている。表示板４０を基準とした内周面５１の角度α１は、鋭角になっている。外周面５２は、円環状の装飾部材５０の外側面であり、円筒面になっている。表示板４０を基準とした外周面５２の角度α２は、直角になっている。ここで、内周面５１の角度α１及び外周面５２の角度α２は、内角ではなく、外角である。また、軸Ａは、指針１０の回転中心軸である。
【００２１】
傾斜面５３は、装飾部材５０の前面であり、内周面５１に連なるものである。傾斜面５３は、軸Ａを中心とする円錐面になっている。傾斜面５３は、軸から遠ざかるにしたがって、表示板４０からの高さが徐々に低くなっている。反射面５４は、２つの傾斜面５３，５５を繋ぐ面であり、軸Ａを中心とする円錐面になっている。装飾部材５０の内周高さＨ１は、反射面５４の上端の高さＨ２よりも低く、且つ、反射面５４の下端の高さＨ３よりも高くなっている。
【００２２】
傾斜面５５は、装飾部材５０の前面であり、外周面５２に連なるものである。傾斜面５５は、軸Ａを中心とする円錐面になっている。傾斜面５５は、軸Ａから遠ざかるにしたがたって、表示板４０からの高さが徐々に低くなっている。装飾部材５０の外周高さＨ４は、傾斜面５５の上端の高さＨ２よりも低くなっている。
【００２３】
傾斜面５３，５５，反射面５４の角度は、適宜選定されるものであるが、傾斜面５３，５５の角度は、表示板４０に対して５〜１０度、反射面５４の角度は、表示板４０に対して８０〜８５度が好ましい。
【００２４】
昼間は、装飾部材５０が所定幅Ｗ１で視認される。つまり、イルミネーションスイッチがＯＦＦされているときは、装飾部材５０の傾斜面５３，５５及び反射面５４が視認される。一方、イルミネーションスイッチがＯＮされているときは、発光素子２４からの光Ｌが車両運転者に反射されるため、装飾部材５０の反射面５４だけが所定幅Ｗ２で視認される。つまり、装飾部材５０の傾斜面５３，５５は、発光素子２５からの光Ｌが照射されないために視認されない。また、装飾部材５０内周面５１には光Ｌが照射されるが、内周面５１は表示板４０に対して鋭角であるので、光Ｌが車両運転者に向けて反射されないため、内周面５１は視認されない。
【００２５】
なお、本発明は、本実施形態に限定されるものでなく、種々の変形が可能であり、例えば、図５及び図６に示す他の実施形態のように、装飾部材５０を表示板４０の指標部４１の外側に配設しても良い。
【符号の説明】
【００２６】
１０    指針
２２    指針駆動部（指針駆動手段）
２５    発光素子
４０    表示板
４１    指標部
５０    装飾部材
５４    反射面
Ｈ１    内周高さ
Ｈ４    外周高さ
【図１】
2013127397.tif 000003
【図２】
2013127397.tif 000004
【図３】
2013127397.tif 000005
【図４】
2013127397.tif 000006
【図５】
2013127397.tif 000007
【図６】
2013127397.tif 000008